(57)【要約】【課題】視聴者属性を推定する推定処理が出力した推定結果を、さらに視聴者に関連する情報を用いて補正することで、視聴者属性の推定精度を上げる放送信号送受信システムおよび放送信号送受信方法を提供する。【解決手段】本実施形態の放送信号送受信システムは、放送信号で番組を送信する放送信号送信装置と、前記放送信号で送られてくる前記番組を受信し、受信した前記番組を視聴する視聴者の視聴履歴の情報を用いて、前記視聴者の属性の推定結果を出力する放送信号受信装置とを備えた放送信号送受信システムにおいて、前記番組を視聴する前記視聴者の世帯の情報にもとづいて、前記推定結果を補正する推定結果補正部を具備する放送信号送受信システムである。【選択図】図１
2020102681.tif 000002
【特許請求の範囲】
【請求項１】
放送信号で番組を送信する放送信号送信装置と、前記放送信号で送られてくる前記番組を受信し、受信した前記番組を視聴する視聴者の視聴履歴の情報を用いて、前記視聴者の属性の推定結果を出力する放送信号受信装置とを備えた放送信号送受信システムにおいて、
前記放送信号送信装置は、
映像ストリーム、音声ストリームを含む前記放送信号を送信する送信手段
を備え、
前記放送信号受信装置は、
前記番組を視聴する前記視聴者の世帯の情報にもとづいて、前記推定結果を補正する推定結果補正部を具備する放送信号送受信システム。
【請求項２】
前記世帯の情報は、前記世帯を構成する構成員の年齢および性別を含む第１の世帯情報と、前記世帯を構成する構成員の位置に関する情報を含む第２の世帯情報とを含む請求項１に記載の放送信号送受信システム。
【請求項３】
前記推定結果補正部は、前記推定結果を補正する際に、少なくとも前記第１の世帯情報を用いて補正する請求項２に記載の放送信号送受信システム。
【請求項４】
前記推定結果補正部は、前記推定結果を補正する際に、前記第１の世帯情報を用いて補正した後に前記第２の世帯情報を用いて補正する請求項２に記載の放送信号送受信システム。
【請求項５】
放送信号で番組を送信する放送信号送信装置と、前記放送信号で送られてくる前記番組を受信し、受信した前記番組を視聴する視聴者の視聴履歴の情報を用いて、前記視聴者の属性の推定結果を出力する放送信号受信装置とを備えた放送信号送受信システムにおける放送信号送受信方法において、
前記放送信号送信装置は、
映像ストリーム、音声ストリームを含む前記放送信号を送信し、
前記放送信号受信装置は、
前記番組を視聴する前記視聴者の世帯の情報にもとづいて、前記推定結果を補正する放送信号送受信方法。
【発明の詳細な説明】
【技術分野】
【０００１】
本発明の実施形態は、放送信号送受信システムおよび放送信号送受信方法に関する。
【背景技術】
【０００２】
ネットワークに接続可能な放送信号受信装置の中には、視聴者の属性に合わせた最適な広告を表示させるアドレッサブル広告（差し替えＣＭ）を表示する機能を備えているものがある。このようなアドレッサブル広告（差し替えＣＭ）を表示する機能は、放送信号受信装置の視聴者個々に対する独自のサービスを可能にしている。
【先行技術文献】
【特許文献】
【０００３】
【特許文献１】特開２０１８−３７９３５号公報
【発明の概要】
【発明が解決しようとする課題】
【０００４】
放送信号受信装置においてアドレッサブル広告（差し替えＣＭ）の表示をより効果的におこなうためには、視聴者属性の推定のより高い精度が要求される。視聴履歴等の視聴データをもとに視聴者属性を推定するための推定技術は、すでに存在している。しかしこの推定技術が出力する推定結果だけでは、アドレッサブル広告（差し替えＣＭ）の表示をより効果的におこなうために十分な精度が得られていない。
【０００５】
そこで本実施形態は、視聴者属性を推定する推定処理が出力した推定結果を、さらに視聴者に関連する情報を用いて補正することで、視聴者属性の推定精度を上げる放送信号送受信システム、放送信号送受信方法を提供することである。
【課題を解決するための手段】
【０００６】
本発明の実施形態に係る放送信号送受信システムは、放送信号で番組を送信する放送信号送信装置と、前記放送信号で送られてくる前記番組を受信し、受信した前記番組を視聴する視聴者の視聴履歴の情報を用いて、前記視聴者の属性の推定結果を出力する放送信号受信装置とを備えた放送信号送受信システムにおいて、
前記放送信号送信装置は、
映像ストリーム、音声ストリームを含む前記放送信号を送信する送信手段
を備え、
前記放送信号受信装置は、
前記番組を視聴する前記視聴者の世帯の情報にもとづいて、前記推定結果を補正する推定結果補正部を具備する放送信号送受信システムである。
【図面の簡単な説明】
【０００７】
【図１】図１は、本発明の実施形態に係る視聴者属性推定装置を含むアドレッサブル広告システムの構成例を示す図である。
【図２】図２は、放送局（放送信号送信装置）の構成例を概略的に示す図である。
【図３】図３は、本発明の実施形態に係る視聴者属性推定装置を含む放送信号受信装置（手段）の構成を概略的に示す図である。
【図４】図４は、本発明の実施形態に係る視聴者属性推定装置の構成の一例を示す図である。
【図５】図５は、本発明の実施形態に係る視聴者属性推定装置の構成の他の例を示す図である。
【図６】図６は、本発明の実施形態に係る視聴者属性推定装置の視聴データ格納部が管理格納する視聴データの例を示す一覧である。
【図７】図７は、本発明の実施形態に係る視聴者属性推定装置の視聴者属性推定部が出力する推定結果の一例を示す一覧である。
【図８】図８は、本発明の実施形態に係る視聴者属性推定装置の補正用外部データ格納部が管理格納する、視聴者属性推定部が出力する推定結果を補正するためのデータの一例である。
【図９】図９は、本発明の実施形態に係る視聴者属性推定装置の補正用外部データ格納部が管理格納する、視聴者属性推定部が出力する推定結果を補正するためのデータの他の例である。
【図１０】図１０は、本発明の実施形態に係る視聴者属性推定装置の推定処理の処理フローの一例である。
【図１１】図１１は、本発明の実施形態に係る視聴者属性推定装置の推定処理を図１０に示す処理フローにより実施した場合の、視聴データ、補正用外部データ、および補正用外部データを用いて補正された結果のデータの一例を示す図である。
【図１２】図１２は、本発明の実施形態に係る視聴者属性推定装置の推定処理の処理フローの他の例である。
【発明を実施するための形態】
【０００８】
以下、実施の形態について図面を参照して説明する。
図１は、本発明の実施形態に係る視聴者属性推定装置を含むアドレッサブル広告システムの構成例を示す図である。
アドレッサブル広告システムは、放送局（放送信号送信装置）１００、放送信号受信装置１４０、ＣＭ配信用サーバ１２０、管理サーバ１２１を含む。放送信号受信装置１４０は、放送局（放送信号送信装置）１００が放送する番組を受信するとともに、本発明の実施形態にかかる視聴者属性推定装置を含む。放送局１００および放送信号受信装置１４０は、ネットワーク１３０を介してＣＭ配信用サーバ１２０および管理サーバ１２１と接続されている。
【０００９】
放送局１００は、番組を編成し、編成した番組を放送信号により放送信号受信装置１４０に放送する局である。放送局１００は、放送信号送信装置とも呼ぶ。
放送局１００は、広告会社１１０が製作したＣＭを、保存して管理するＣＭ管理サーバ１０１を有する。放送局１００は、ＣＭ管理サーバ１０１に保存されているＣＭ(Commercial Message)を、放送する番組の途中に挿入して編成し一連の映像ストリームおよび音声ストリームとして、放送信号により放送信号受信装置１４０に放送（送信）する。なお広告会社１１０は、例えば契約に基づく広告主１１１からの依頼により広告を製作し、製作したＣＭを放送局１００のＣＭ管理サーバ１０１に登録する。
【００１０】
また放送局１００は、またネットワーク１３０と接続する機能を有し、ネットワーク１３０を介してＣＭ配信用サーバ１２０および管理サーバ１２１と接続している。
ＣＭ配信用サーバ１２０は、ネットワーク１３０を介して接続されたＣＭ管理サーバ１０１から送られてきたアドレッサブル広告（差し替えＣＭ）を蓄積し、放送信号受信装置１４０からの要求に応じて蓄積しているアドレッサブル広告（差し替えＣＭ）を配信するサーバである。
【００１１】
管理サーバ１２１は、放送信号受信装置１４０が受信する番組に関連する付加サービスを提供するためのサーバである。管理サーバ１２１が提供する付加サービスとは、例えば放送信号受信装置１４０が、ある番組を視聴しているユーザに、番組途中に挿入されているＣＭをアドレッサブル広告（差し替えＣＭ）に置き換えて提供するための、アドレッサブル広告（差し替えＣＭ）に置き換えることが可能なＣＭの時間枠を、放送信号受信装置１４０に提供するサービスである。管理サーバ１２１が放送信号受信装置１４０に提供するアドレッサブル広告（差し替えＣＭ）に置き換えることが可能なＣＭの時間枠は、放送局１００のＣＭ管理サーバ１０１から送られてくるアドレッサブルＣＭ枠情報にもとづいている。
【００１２】
また管理サーバ１２１は、放送信号受信装置１４０の視聴履歴を収集する機能も有する。放送信号受信装置１４０は、番組途中に挿入されているＣＭがアドレッサブル広告（差し替えＣＭ）に置き換えた実績を視聴履歴の中に含めて送信する。
放送信号受信装置１４０は、放送局１００から放送信号により放送される番組を受信する受信装置である。また放送信号受信装置１４０は、ネットワーク１３０と接続する機能を有し、ネットワーク１３０を介してＣＭ配信用サーバ１２０と接続している。放送信号受信装置１４０は、ＣＭ配信用サーバ１２０から配信されるアドレッサブル広告（差し替えＣＭ）を、管理する記録媒体１６０に保存する。
【００１３】
さらに放送信号受信装置１４０は、放送される番組に関する付加サービスを受けるために、放送信号受信装置１４０の例えば機能設定画面を通じて、管理サーバ１２１との接続を設定することが可能である。放送信号受信装置１４０は、機能設定画面を例えばユーザが操作することにより、管理サーバ１２１との接続に必要な情報である例えば放送信号受信装置１４０の固有情報や放送信号受信装置１４０を使用するユーザの世帯の状況（世帯を構成する人の性別や年代）等を管理サーバ１２１に登録することができる。これにより管理サーバ１２１は、放送信号受信装置１４０の１台１台を、例えば放送信号受信装置１４０の機器ＩＤによりユニークに識別することができる。
【００１４】
このように放送信号受信装置１４０は、機能設定画面を通じて管理サーバ１２１との接続のたに必要な情報を登録することで、放送信号で受信する番組に関連する種々の付加サービスを、管理サーバ１２１から受けることができる。
またさらに放送信号受信装置１４０は、本発明の実施形態に係る視聴者属性推定装置を含む。放送信号受信装置１４０は、視聴者属性推定装置による推定結果に従って記録媒体１６０に保存されているアドレッサブル広告（差し替えＣＭ）の中から最適なアドレッサブル広告（差し替えＣＭ）を選択して表示画面に表示する機能を有する。放送信号受信装置１４０は、選択した最適なアドレッサブル広告（差し替えＣＭ）を、管理サーバ１２１から送られてきたアドレッサブル広告（差し替えＣＭ）に置き換えが可能なＣＭの時間枠に当てはめて表示することで、番組を視聴する視聴者に提供することができる。
【００１５】
図２は、放送局（放送信号送信装置）１００の構成例を概略的に示した図である。放送局（放送信号送信装置）１００は、ＣＭ管理サーバ１０１に蓄えられているＣＭを挿入して編成した番組の映像データや音声データ等を符号化（エンコードとも呼ぶ）して放送信号として送出する。
【００１６】
データ放送エンコーダ２１０は、編成された番組に関連するデータ放送のデータを符号化する機能を持つ。データ放送エンコーダ２１０は、データ放送のデータを符号化する。
映像エンコーダ２１１は、編成された番組の映像データを符号化する機能を持つ。映像エンコーダ２１１は、編成された番組の映像データを符号化する。
【００１７】
音声エンコーダ２１２は、編成された番組の音声データを符号化する機能を持つ。音声エンコーダ２１２は、編成された番組の音声データを符号化する。
字幕エンコーダ２１３は、編成された番組の字幕データを符号化する機能を持つ。字幕エンコーダ２１３は、編成された番組の字幕データを符号化する。
【００１８】
制御情報生成手段２１４は、ＴＬＶパケットおよびＭＭＴの制御情報を生成する機能を持つ。ＴＬＶパケットの制御情報とは、ＩＰパケットの多重に関する制御情報（ＴＬＶ-ＳＩとも呼ばれる）であり、選局のための情報やＩＰアドレスとサービスの対応情報を提供する。またＭＭＴの制御情報とは、ＭＭＴのパッケージの構成や放送サービスに関連する制御情報（ＭＭＴ-ＳＩとも呼ばれる）である。制御情報生成手段２１４は、音声エンコーダ２１２、映像エンコーダ２１１がエンコード対象とした番組に関する制御情報を含むＴＬＶパケットおよびＭＭＴの制御情報の信号を生成する。
【００１９】
スクランブラ２１５は、音声エンコーダ２１２から出力された符号化された音声データ、映像エンコーダ２１１から出力された符号化された映像データを、ＣＡＳモジュール２１６と連携してスクランブルする機能を持つ。
ＣＡＳモジュール２１６は、スクランブラ２１５がスクランブルする際に使用する鍵を生成するモジュールである。
【００２０】
マルチプレクサ（多重化手段）２１７は、データ放送エンコーダ２１０が符号化して生成したデータ放送ストリーム、映像エンコーダ２１１が映像データを符号化して生成した映像ストリーム、音声エンコーダ２１２が音声データを符号化して生成した音声ストリーム、字幕エンコーダ２１３が字幕データを符号化して生成した字幕ストリームおよび制御情報生成手段２１４で生成された制御情報を、ＭＭＴ・ＴＬＶ方式で多重する機能を持つ。マルチプレクサ（多重化手段）２１７は、音声ストリーム、映像ストリーム、ＴＬＶパケットおよびＭＭＴの制御情報を多重化したＴＬＶストリームを生成する。
【００２１】
送信手段２１８は、ＴＬＶストリームからなる放送信号を放送波として送出する機能を持つ。送信手段２１８は、マルチプレクサ２１７が生成したＴＬＶストリームを、１６ＡＰＳＫなどの変調や誤り訂正符号化などの伝送路符号化処理を行い放送波として送出する。
【００２２】
図３は、本発明の実施形態に係る視聴者属性推定装置を含む放送信号受信装置（手段）１４０の構成を概略的に示した図である。
放送信号受信装置１４０は、放送信号を受信する受信機能である基本機能３４１と制御手段３４２を含む。
基本機能３４１は、放送チューナ３０１、デマルチプレクサ３０２、デスクランブラ３０３、ＣＡＳモジュール３０４、データ放送エンジン３０５、映像デコーダ３０６、音声デコーダ３０７、字幕デコーダ３０８、制御情報解析手段３０９、ＧＵＩ３２０、合成器３２６を含む。
【００２３】
チューナ３０１は、放送信号で送られてきた放送信号（ＴＬＶストリーム）を受信する機能を持つ。チューナ３０１で受信した放送信号は、デマルチプレクサ３０２に入力される。
デマルチプレクサ３０２は、多重化されているＴＬＶストリームをデータ放送ストリーム、映像ストリーム、音声ストリーム、字幕ストリーム、制御情報に分離する機能を持つ。デマルチプレクサ３０４は、分離したデータ放送ストリーム、映像ストリーム、音声ストリーム、データ放送ストリーム、字幕ストリームをデスクランブラ３０３に、制御情報であるＳＩ信号を制御情報解析手段３０９にそれぞれ入力する。
【００２４】
デスクランブラ３０３は、入力されたデータ放送ストリーム、映像ストリーム、音声ストリーム、字幕ストリームを、ＣＡＳモジュール３０４と連携してデスクランブルする機能を持つ。デスクランブラ３０３は、デスクランブルしたデータ放送ストリームをデータ放送エンジン３０５に、映像ストリームを映像デコーダ３０６に、音声ストリームを音声デコーダ３０７に、字幕ストリームを字幕デコーダ３０８にそれぞれ入力する。
【００２５】
ＣＡＳモジュール３０４は、デスクランブラ３０３でデスクランブルする際に使用するキーを生成する機能を持つ。
データ放送エンジン３０５は、入力されたデータ放送ストリームの受信処理を行う機能を持つ。データ放送エンジン３０５は、受信したデータ放送ストリームを表示手段３５０に表示するデータに変換して合成器３２６に送る。合成器３２６に送られたデータ放送用のデータは、映像データ等と合成され、表示手段３５０に表示される。
【００２６】
映像デコーダ３０６は、入力された映像ストリームを復号化（デコード）する機能を持つ。映像デコーダ３０６は、映像ストリームを復号し表示手段３５０に表示する信号を生成する。
音声デコーダ３０７は、入力された音声ストリームを復号化する機能を持つ。音声デコーダ３０７は、音声ストリームを復号しスピーカ３５１に出力する信号を生成する。
【００２７】
字幕デコーダ３０８は、字幕ストリームを復号化し、表示手段３５０に表示する信号を生成する。
復号化された映像信号および字幕信号およびデータ放送用信号は、合成器３２６で合成され表示手段３５０に出力される。また復号化された音声信号は、スピーカ３５１に出力される。
【００２８】
制御情報解析手段３０９は、放送信号の制御情報であるＳＩ信号の解析を行う。制御情報解析手段３１０は、ＳＩ信号の解析を行うと、その解析結果を制御手段３４２に送る。
制御手段３４２は、放送信号受信装置１４０の全体的な動作の制御を行う。また制御手段３４２は、本発明の実施形態に係る視聴者属性推定装置３３０を内部に持ち、視聴者属性推定装置３３０の制御を行う。また制御手段３４２は、ネットワーク１３０とのＩ／ＦであるネットワークＩ／Ｆ３３１および外部機器との接続Ｉ／Ｆである外部入力Ｉ／Ｆ３３２の制御も行う。
【００２９】
また制御手段３４２は、視聴者属性推定装値３３０が出力した視聴者属性の推定結果に従って記録媒体１６０に保存されているアドレッサブル広告（差し替えＣＭ）の中から放送信号受信装置１４０に視聴者に最適なアドレッサブル広告（差し替えＣＭ）を選択し、アドレッサブル広告（差し替えＣＭ）に置き換えることが可能な時間枠のＣＭを、選択したアドレッサブル広告（差し替えＣＭ）に置き換えて表示する制御も行う。
【００３０】
視聴者属性推定装置３３０は、視聴履歴等の視聴データをもとに推定した視聴者属性の推定結果を、さらに補正用外部データを用いて補正する機能を持ち、信号受信装置１４０の視聴者に最適なアドレッサブル広告（差し替えＣＭ）を可能とする、視聴者属性を推定する機能を持つ。
【００３１】
視聴者属性推定装置３３０の構成は、図４を用いて説明する。また視聴者属性推定装置３３０が行う処理の例は、図１０を用いて説明する。
視聴履歴等の視聴データをもとに、視聴者属性を推定するための技術は、すでに存在している。しかしこの推定技術が出力した推定結果だけでは、アドレッサブル広告配信をより効果的におこなうためには十分な視聴者推定の推定精度が得られない。そのため、本発明の実施形態に係る視聴者属性推定装置３３０は、視聴者推定の推定精度をあげるために、従来からある推定技術の推定結果を補正する機能を有する。
【００３２】
図４は、本発明の実施形態に係る視聴者属性推定装置３３０の構成の一例を示す図である。視聴者属性推定装置３３０は、視聴データ格納部４０１、補正用外部データ格納部４０２、視聴者属性推定部４１０、推定結果補正部４２０、補正済み推定結果格納部４２１を含む。
【００３３】
視聴データ格納部４０２は、視聴データを管理格納する処理を行う。視聴データは、例えば視聴履歴である。制御手段３４２は、映像デコーダ３０６、音声デコーダ３０７、制御情報解析手段３０９の処理を通じて表示手段３５０やスピーカ３５１に出力される番組を検出することで、視聴データ（視聴履歴等）を視聴データ格納部４０２に保存する。視聴データ格納部４０２が管理格納する視聴データの一例を、図６に示す。
【００３４】
視聴者属性推定部４１０は、視聴者属性を推定する処理部（推定エンジンとも呼ぶ）である。視聴者属性推定部４１０は、視聴データ格納部４０２に保存されている視聴データを取得し視聴者属性を推定する処理を行い、推定結果を出力する。視聴者属性を推定する処理部は、たとえばディープラーニングによるものであってもよい。視聴者属性推定部４１０が出力する推定結果の一例を、図７に示す。
【００３５】
補正用外部データ格納部４０２は、視聴者属性推定部４１０が出力した視聴者属性を補正するためのデータを管理格納する。補正するためのデータは、例えば放送信号受信装置１４０の機能設定で登録したユーザの世帯を構成する人（構成員）の性別や年代や放送信号受信装置１４０の利用形態（１人で利用、家族で利用等）に関する情報、あるいは放送信号受信装置１４０と接続可能な、構成員が所有するスマートフォンやタブレット等の携帯端末から得られる構成員の位置情報等である。
【００３６】
放送信号受信装置１４０に接続可能なスマートフォン、タブレット等の携帯端末とは、例えば管理サーバ１２１を経由したリモート接続により、放送信号受信装置１４０のリモコン機能として登録された携帯端末であったり、放送信号受信装置１４０が備える録画機能を予約したりする携帯端末である。補正用外部データ格納部４０２が管理格納するデータの一例を、図８および図９に示す。
【００３７】
本発明の実施形態に係る視聴者属性推定装置３３０は、視聴データをもとに推定した視聴者属性の精度をあげるために、視聴データをもとに推定した視聴者属性を補正する機能を有する。以下補正する機能について説明する。
推定結果補正部４２０は、視聴者属性推定部４１０が出力した視聴者属性を、補正用外部データ格納部４０２より取得した補正するためのデータを用いて、補正する処理を行う。
【００３８】
補正済み推定結果格納部４２１は、推定結果補正部４２０が出力した補正した視聴者属性を管理格納する。
図５は、本発明の実施形態に係る視聴者属性推定装置３３０の構成の他の例を示す図である。図４の例は、視聴データ格納部４０１、補正用外部データ格納部４０２、視聴者属性推定部４１０、推定結果補正部４２０、補正済み推定結果格納部４２１がすべて放送信号受信装置１４０の中にある場合であるが、視聴者属性推定部４１０が放送信号受信装置１４０の外部の別体の中にあってもよい。
【００３９】
図５に示す例は、視聴データ格納部４０１−２、補正用外部データ格納部４０２、推定結果補正部４２０−２、補正済み推定結果格納部４２１が放送信号受信装置１４０の制御手段３４２の中にあり、視聴者属性推定部４１０−２が、ネットワークＩ／Ｆ３３１あるいは外部Ｉ／Ｆ３３２で接続される別体の中に存在する場合の例である。視聴者属性推定部４１０−２は、視聴データ送信部４３１および視聴データ受信部４４１の間の通信を介して視聴データ格納部４０１−２に格納されている視聴データを取得し、推定結果送信部４４２および視聴データ受信部４３２の間の通信を介して、推定した視聴者属性の推定結果を推定結果補正部４２０−１に出力する例である。
【００４０】
本発明の実施形態に係る視聴者属性推定装置３３０の構成は、図４および図５に示した以外に、例えば視聴データ格納部２０１や補正用外部データ格納部２０２が、放送信号受信装置１４０の外部の別体の中にあってもよい。例えば視聴データ格納部２０１や補正用外部データ格納部２０２は、管理サーバ１２１の中にあってもよい。
【００４１】
図６は、本発明の実施形態に係る視聴者属性推定装置３３０の視聴データ格納部４０２が管理格納する視聴データ（視聴履歴）の例を示す一覧である。
視聴データは、放送信号受信装置１４０の機器ＩＤ６０１、放送信号受信装置１４０の視聴者が視聴している番組を放送する放送局６０３、およびその視聴者がその番組の視聴を開始した時刻６０２を含む。
【００４２】
例えば６１０は、機器ＩＤ６０１が００００１の放送信号受信装置１４０において、放送局Ａが放送する番組を１０月１１日の２１時００分００秒から視聴者が視聴したことを示している。
図７は、本発明の実施形態に係る視聴者属性推定装置３３０の視聴者属性推定部４１０が出力する推定結果の一例を示す一覧である。
【００４３】
一覧７００は、入力された視聴データに含まれる情報の機器ＩＤ７０１、時刻７０２、放送局７０３の情報を用いて視聴者属性推定部４１０が、情報の機器ＩＤ７０１に示す放送信号受信装置１４０により、放送局７０３に示す放送局が放送する番組を時刻７０２に示す時刻から視聴した視聴者が、年代および性別で区分された視聴者属性の各区分７０４−７１３に属する確率（推定値とも呼ぶ）を推定した結果を示したものである。
【００４４】
年代および性別の視聴者属性で区分した各区分の属性であるＣｈｉｌｄ７０４、Ｔｅｅｎ７０５、Ｍ１（７０６）、Ｍ２（７０７）、Ｍ３（７０８）、Ｍ４（７０９）、Ｆ１（７１０）、Ｆ２（７１１）、Ｆ３（７１２）、Ｆ４（７１３）は、Ｃｈｉｌｄ７０４は視聴者属性の年代が１０歳未満であることを示し、Ｔｅｅｎ７０５は視聴者属性の年代が１０代であることを示し、Ｍ１（７０６）は視聴者属性の年代が２０代で性別が男性であることを示し、Ｍ２（７０７）は視聴者属性の年代が３０代で性別が男性であることを示し、Ｍ３（７０８）は視聴者属性の年代が４０代で性別が男性であることを示し、Ｍ４（７０９）は視聴者属性の年代が５０代で性別が男性であることを示し、Ｆ１（７１０）は視聴者属性の年代が２０代で性別が女性あることを示し、Ｆ２（７１１）は視聴者属性の年代が３０代で性別が女性であることを示し、Ｆ３（７１２）は視聴者属性の年代が４０代で性別が女性であることを示し、Ｆ４（７１３）は視聴者属性の年代が５０代で性別が女性であることを示している。
【００４５】
例えば７２０は、視聴者属性推定部４１０が、機器ＩＤ７０１が００００１の放送信号受信装置１４０により、放送局７０３がＡの放送局が放送する番組を時刻７０２に示す１０月１１日２１時００分００秒から視聴した視聴者の推定結果が、Ｃｈｉｌｄの視聴者属性に該当する推定確率が０．２、Ｔｅｅｎの視聴者属性に該当する推定確率が０．２、Ｍ１の視聴者属性に該当する推定確率が０．８、Ｍ２の視聴者属性に該当する推定確率が０．２、Ｍ３の視聴者属性に該当する推定確率が０．１、Ｍ４の視聴者属性に該当する定確率が０．３、Ｆ１の視聴者属性に該当する推定確率は０．４、Ｆ２の視聴者属性に該当する推定確率が０．２、Ｆ３の視聴者属性に該当する推定確率は０．１、Ｆ４の視聴者俗世に該当する推定確率は０．３であることを示している。
【００４６】
次に推定結果補正部４２０が、図７に示すような推定結果を補正すためのデータの一例を図８および図９に示す。
図８は、本発明の実施形態に係る視聴者属性推定装置３３０の補正用外部データ格納部４０２が管理格納する、視聴者属性推定部４１０が出力する推定結果を補正するためのデータの一例である。
【００４７】
図８（Ａ）のデータの例は、放送信号受信装置１４０のユーザの世帯を構成する構成員の情報である。放送信号受信装置１４０は、機能設定画面を通じてユーザの世帯の構成員の情報が入力されると、入力されたユーザの世帯の構成員の情報を、ネットワーク１３０を介して管理サーバ１２１に登録するとともに視聴者属性推定装置３３０の補正用外部データ格納部４０２に保存する。
【００４８】
例えば８１０は、機器ＩＤ８０１が００００１の放送信号受信装置１４０のユーザの世帯を構成する構成員の情報が、居住地域が神奈川であり、放送信号受信装置１４０の利用形態が一人で利用であり、性別は男性で年代は２０代であり、家族構成が１人暮らしであり、子供世代が居ないことを示している。
【００４９】
なお図８（Ａ）の例は、複数の機器ＩＤ各々の放送信号受信装置１４０のユーザの世帯を構成する構成員の情報を表しているが、これは管理サーバ１２１に登録されているすべての放送信号受信装置１４０のユーザの世帯を構成する構成員の情報を表して例である。放送信号受信装置１４０は、この管理サーバ１２１に登録されているすべての放送信号受信装置１４０のユーザの世帯を構成する構成員の情報と同一の情報を、補正用外部データ格納部４０２に管理格納してもよいし、機能設定画面を通じて登録した世帯の構成員の情報だけを補正用外部データ格納部４０２に管理格納してもよい。
【００５０】
図８（Ｂ）は、図８（Ａ）の内容で登録されている放送信号受信装置１４０のユーザの世帯を構成する構成員の情報を、補正用外部データ格納部４０２が管理する視聴者属性の区分ごとの構成員の数に置き換えた場合の一例である。
例えば８７０は、図８（Ａ）の８１０の登録情報を、補正用外部データ格納部４０２が管理する視聴者属性に置き換えた例である。図８（Ａ）の８００では、登録者の年代が２０代であり、家族構成が１人暮らしであることから、図８（Ｂ）の８５０は、視聴者属性の構成員が、Ｍ１の区分においてだけ１となり、それ以外の区分においては０となっている。
【００５１】
図９は、本発明の実施形態に係る視聴者属性推定装置３３０の補正用外部データ格納部４０２が管理格納する、視聴者属性推定部４１０が出力する推定結果を補正するためのデータの他の例である。
図９（Ａ）のデータの例は、機能設定画面を通じて登録された放送信号受信装置１４０のユーザの世帯を構成する構成員の位置に関する情報の一例である。機能設定画面を通じて登録された放送信号受信装置１４０のユーザの世帯を構成する構成員は、例えば自身が所有するスマートフォンやタブレット等の携帯端末を、機能設定画面を通じて携帯端末の例えば機器ＩＤ（外部機器ＩＤとも呼ぶ）等を登録することにより、例えばＷｉ−ＦｉやＢｌｕｅｔｏｏｔｈ（登録商標）等の近距離無線通信を介して放送信号受信装置１４０と接続させることが可能である。放送信号受信装置１４０との接続が許可された携帯端末の機器ＩＤ等の情報は、放送信号受信装置１４０により管理サーバ１２１に登録されるとともに放送信号受信装置１４０の制御手段３４２で管理される。
【００５２】
例えば９１０は、外部機器ＩＤがＸＸＸＸＡの携帯端末が、例えばＷｉ−Ｆｉを介して管理サーバ１２１を経由して機器ＩＤが００００１の放送信号受信装置１４０と接続している例である。この例で示す同一ネットワークとは、放送信号受信装置１４０と携帯端末とが同一のアクセスポイントのＷｉ−Ｆｉの経由していることを示している。放送信号受信装置１４０と携帯端末とが同一のアクセスポイントのＷｉ−Ｆｉを経由しているとは、例えば放送信号受信装置１４０と携帯端末とが接続しているＷｉ−ＦｉのアクセスポイントのＳＳＩＤ（Service Set Identifier）が同一の場合である。
【００５３】
また９１０は、外部機器ＩＤがＸＸＸＸＡの携帯端末が、管理サーバ１２１を経由して機器ＩＤが００００１の放送信号受信装置１４０と接続している場合に、携帯端末と放送信号受信装置１４０が同一のルータを介してネットワーク１３０と接続している例であってもよい。放送信号受信装置１４０と携帯端末とが同一のルータを介してネットワーク１３０と接続しているとは、放送信号受信装置１４０が接続しているルータに割り振られているＩＰアドレスと携帯端末が接続しているルータに割り振られているＩＰアドレスとが同一の場合である。
【００５４】
このような場合、機器ＩＤが００００１の放送信号受信装置１４０と外部機器ＩＤがＸＸＸＸＡの携帯端末とが、近距離に存在していることが推定される。このように外部機器ＩＤがＸＸＸＸＡの携帯端末の所有者は、放送信号受信装置１４０の近傍にいることが推定される。この結果、外部機器ＩＤがＸＸＸＸＡの携帯端末の所有者は、放送信号受信装置１４０が表示する番組を視聴していることが推定される。
【００５５】
図９（Ｂ）のデータの例は、図９（Ａ）同様に機能設定画面を通じて登録された放送信号受信装置１４０のユーザの世帯を構成する構成員の位置に関する情報の他の例である。
９７０は、外部機器ＩＤがＸＸＸＸＡの携帯端末を持つ２０代男性の位置情報として、１０月１１日１９時００分に東京都千代田区に存在しており、電車で移動中である、ということを示している。
【００５６】
このような場合、機器ＩＤが００００１の放送信号受信装置１４０と外部機器ＩＤがＸＸＸＸＡの携帯端末とが、近距離に存在していないことが推定される。このように外部機器ＩＤがＸＸＸＸＡの携帯端末の所有者は、放送信号受信装置１４０の近傍にいないことが推定される。この結果、外部機器ＩＤがＸＸＸＸＡの携帯端末の所有者は、放送信号受信装置１４０が表示する番組を視聴していないことが推定される。
【００５７】
管理サーバ１２１は、図９（Ａ）の９００や図９（Ｂ）の９６０に示すような、機能設定画面を通じて登録された放送信号受信装置１４０のユーザの世帯を構成する構成員の位置に関する情報を任意のタイミングで収集してもよい。管理サーバ１２１は、構成員の位置に関する情報を、ネットワーク１３０を介して該当する機器ＩＤを持つ放送信号受信装置１４０に送られる。構成員に関する位置に関する情報を受信した放送信号受信装置１５０は、受信したデータを補正用外部データ格納部４０２に保存する。例えば管理サーバ１２１に収集された図９（Ａ）の９１０のデータは、管理サーバ１２１により機器ＩＤが００００１の放送信号受信装置１４０に送信することで、補正用外部データ格納部４０２で管理格納される。
【００５８】
図１０は、本発明の実施形態に係る視聴者属性推定装置３３０の推定処理の処理フローの一例である。
視聴者属性推定装置３３０は、例えば放送信号受信装置１４０の視聴者が、番組の視聴を開始したら視聴者属性の推定処理を開始する（Ｓ１０００）。
【００５９】
視聴者属性推定部４１０は、視聴データ格納部４０２に保存されている視聴データを取得して（Ｓ１００１）、放送信号受信装置１４０の表示手段３５０およびスピーカ３５１に出力している番組の視聴者の属性を推定して、推定結果を出力結果補正部４２０に出力する。
【００６０】
出力結果補正部４２０は、視聴者属性推定部４１０から視聴者属性推定結果を取得し（Ｓ１００２）、取得した視聴者属性推定結果を補正用外部データ格納部４０２から取得（Ｓ１００３）した補正用データを用いて補正する。補正に使用するデータは、図８に示す世帯を構成する構成員の情報である。出力結果補正部４２０は、補正する際に、構成員として存在していない視聴者属性の区分の推定値を０に補正する（Ｓ１００４）。出力結果補正部４２０は、さらに視聴者属性の各区分の推定値に閾値以上の値が存在するかを確認する（Ｓ１００５）。
【００６１】
確認の結果、閾値以上の値を持つ視聴者属性の区分の推定値が存在する場合（Ｓ１００５のＹｅｓ）、閾値以上の値を持つ視聴者属性の区分の推定値を１に、それ以外の視聴者属性の区分の推定値を０に補正して（Ｓ１００６）処理を終了する（Ｓ１０１０）。
【００６２】
確認の結果、閾値以上の値を持つ視聴者属性の区分の推定値が存在しない場合（Ｓ１００５のＮｏ）、該当する視聴者属性の区分の推定値のうち、最大の推定値を１に、それ以外の推定値を０に補正して（Ｓ１００７）処理を終了する（Ｓ１０１０）。
図１１は、本発明の実施形態に係る視聴者属性推定装置３３０の推定処理を図１０に示す処理フローにより実施した場合の、視聴データ、補正用外部データ、および補正用外部データを用いて補正された結果のデータの一例を示す図である。
【００６３】
図１１（Ａ）は、視聴者属性推定部４１０が出力する推定結果の一例である。図１１（Ｂ）は、補正用外部データ格納部４０２が管理格納する、視聴者属性推定部４１０が出力する推定結果を補正するための世帯を構成する構成員の情報である。例えば図１１（Ａ）の一覧１１００の１１１５のデータを、図１１（Ｂ）の一覧１１２０の１１３５のデータを用いて補正する場合、図１０の処理フローのＳ１００４からＳ１００７の処理を行うことで、図１１（Ｃ）の一覧１１５０の１１６５データに補正される。
【００６４】
具体的には、例えば閾値を０．５とする。Ｓ１００４の処理で１１１５の推定結果の値は、１１３５の補正用外部データの値を用いることで、ｃｈｉｌｄの推定値が０に補正され、Ｔｅｅｎの推定値は０．６のままで、Ｍ１の推定値は０に補正され、Ｍ２の推定値は０に補正され、Ｍ３の推定値は０．４のままで、Ｆ１の推定値は０に補正され、Ｆ２の推定値は０に補正され、Ｆ３の推定値は０．４のままで、Ｆ４の推定値０．６のままとなる。
【００６５】
次にこのＳ１００４の処理の結果の値に対してＳ１００５の判定とそれにともなうＳ１００６による補正およびＳ１００７による補正を行う。
Ｓ１００４の処理の結果の値の中には閾値の０．５以上の値が存在しているため、Ｓ１００５の判定結果はＹｅｓとなりＳ１００６の処理に移る。
【００６６】
Ｓ１００６の処理においてＳ１００４の処理の結果の値は、ｃｈｉｌｄの推定値は０のままであり、Ｔｅｅｎの推定値は１に補正され、Ｍ１の推定値は０のままであり、Ｍ２の推定値は０のままであり、Ｍ３の推定値は０のままであり、Ｆ１の推定値は０のままであり、Ｆ２の推定値は０のままであり、Ｆ３の推定値は０に補正され、Ｆ４の推定値は１に補正され、最終的には１１６５に示す値に補正される。
【００６７】
この結果、機器ＩＤが０００４の放送信号受信装置１４０で放送局Ａの番組を１０月１１日１８時００分００秒から視聴していた視聴者の属性は、Ｔｅｅｎ（１１５５）が１人、Ｆ４（１１６３）が１人と推定される。
図１１の例は、図８に示す放送信号受信装置１４０のユーザの世帯の構成員を構成する構成員の情報を補正するための情報として用いた例であるが，図９に示す放送信号受信装置１４０のユーザの世帯を構成する構成員の位置に関する情報を、用いてさらに精度を上げてもよい。
【００６８】
図１２は、本発明の実施形態に係る視聴者属性推定装置３３０の推定処理の処理フローの他の例である。図１２の処理フローの例は、出力結果補正部４２０が、放送信号受信装置１４０のユーザの世帯を構成する構成員の情報に加え構成員の位置に関する情報をも用いて補正する点が、図１０の処理フローの例と異なる。
【００６９】
図１２のＳ１２００からＳ１２０７は、それぞれ図１０のＳ１０００から１０００７と同一である。出力結果補正部４２０は、構成員の位置に関する情報をもとにＳ１２０８に示す、放送信号受信装置１４０が表示する番組を視聴していなことが推定される構成員の推定値を０に補正する処理を行う。
【００７０】
図を用いて本発明の実施形態に係る視聴者属性推定装置３３０および視聴者属性推定装置３３０を含むアドレッサブル広告システムの例を説明したが、上述した例に限定されない。
図１に示したアドレッサブル広告システムの構成例では、放送局（放送信号送信装置）１００は、ＭＭＴ・ＴＬＶ方式で多重された放送波を送信し、放送信号受信装置１４０は、ＭＭＴ・ＴＬＶ方式で多重された放送波を受信する場合を例に説明したが、放送波がＭＰＥＧ−２方式で多重されたものであってもよい。
【００７１】
また図１に示したアドレッサブル広告システムの構成例では、放送信号受信装置１４０が１つだけ含まれている例であるが、複数含まれていてもよい。この場合管理サーバ１２１は、放送信号受信装置１４０の各々が持つ機器ＩＤを用いて、複数ある放送信号受信装置１４０を識別し管理することが出来る。
【００７２】
また本発明の実施形態にかかる視聴者属性推定装置３３０は、放送信号受信装置１４０に含まれるとして説明したが、放送信号受信装置１４０と通信可能であり個々の放送信号受信装置１４０をその機器ＩＤにより識別することが可能な別体の中にあってもよい。この別体は、例えば管理サーバ１２１であってもよい。
【００７３】
視聴者属性推定装置３３０が別体の中にある場合、別体の中にある視聴者属性推定装置３３０は、ネットワーク１３０を介して放送信号受信装置１４０の視聴データを取得し視聴データ格納部４０２に保存する。別体の中にある視聴者属性推定装置３３０は、さらに放送信号受信装置１４０のユーザの世帯の構成員の情報や世帯を構成する構成員の位置に関する情報を、同様にネットワーク１３０を介して放送信号受信装置１４０から取得し補正用外部データ格納部４０２に保存する。別体が管理サーバ１２１の場合は、該当する機器ＩＤの放送信号受信装置１４０のユーザの世帯の構成員の情報や世帯を構成する構成員の位置に関する情報は、すでに説明したように管理サーバ１２１に保存されている情報を用いてもよい。
【００７４】
以上のように、視聴者属性推定装置３３０の出力結果補正部４２０は、補正する際に、放送信号受信装置１４０のユーザの世帯を構成する構成員の情報に加え構成員の位置に関する情報をも用いて補正することが可能である、あるいはいずれか一方だけを用いて補正することも可能であるが、世帯を構成する構成員の情報を用いる補正は行うことが望ましい。
【００７５】
また視聴者属性推定装置３３０の出力結果補正部４２０は、補正する際に、世帯を構成する構成員の情報と構成員の位置に関する情報の両方を用いる場合、図１２の処理フローに示すように、世帯を構成する構成員の情報を用いて補正した後に、構成員の位置に関する情報を用いて補正することが望ましい。
【００７６】
以上のように本実施形態に係る視聴者属性推定装置３３０は、視聴者属性を推定する処理部（推定エンジン）の出力結果を、放送信号受信装置１４０が置かれている世帯を構成する構成員に関する情報や構成員各人が所有する携帯端末を用いて構成員の位置に関する情報を用いることで、補正することができる。この結果本実施形態に係る視聴者属性推定装置３３０は、視聴者属性を推定する処理部（推定エンジン）の出力結果に対してさらに精度の高い視聴者属性の推定を行うことが可能である。
【００７７】
また視聴者属性を推定する処理部（推定エンジン）は、各世帯の状況向けにカスタマイズすることが困難であることが想定される。このような場合でも、本実施形態に係る視聴者属性推定装置３３０は、放送信号受信装置１４０が置かれている世帯の構成員に関する情報や各構成員の位置に関する情報を用いることで、各世帯に適した補正を行い、さらに精度の高い視聴者属性の推定を行うことが可能となる。
【００７８】
また図５の視聴者属性推定部４１０−２に示したように、処理部（推定エンジン）は、必ずしも放送信号受信装置１４０内に存在しているとは限らず、複数の放送信号受信装置１４０がネットワーク１３０を介して使用するクラウド上に存在している場合も想定される。このような場合でも本実施形態に係る視聴者属性推定装置３３０は、放送信号受信装置１４０が置かれている世帯の構成員に関する情報や各構成員の位置に関する情報を用いることで、各世帯に適した補正を行い、さらに精度の高い視聴者属性の推定を行うことが可能となる。
【００７９】
これにより放送信号受信装置１４０の制御手段３４２は、視聴者属性推定装置３３０が出力する精度の高い視聴者属性を用いて、記録媒体１６０に保存されているアドレッサブル広告（差し替えＣＭ）の中から、放送信号受信装置１４０に最適なアドレッサブル広告（差し替えＣＭ）を選択して、表示手段３５０に表示を行うことが可能となる。
【００８０】
さらに放送信号受信装置１４０の制御手段３４２、選択したアドレッサブル広告（差し替えＣＭ）の情報を、視聴履歴に含めて管理サーバ１２１に送信することも可能である。管理サーバ１２１は、受信した視聴履歴をＣＭ管理サーバ１０１に送信することで、ＣＭ管理サーバはアドレッサブル広告（差し替えＣＭ）が表示された実績を把握することができる。これにより放送局１は、放送信号受信装置１４０の番組を視聴している視聴者に最適なアドレッサブル広告（差し替えＣＭ）の製作に行うことが可能となる。
【００８１】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。さらにまた、請求項の各構成要素において、構成要素を分割して表現した場合、或いは複数を合わせて表現した場合、或いはこれらを組み合わせて表現した場合であっても本発明の範疇である。また請求項を制御ロジックとして表現した場合、コンピュータを実行させるインストラクションを含むプログラムとして表現した場合、及び前記インストラクションを記載したコンピュータ読み取り可能な記録媒体として表現した場合でも本発明の装置を適用したものである。また、使用している名称や用語についても限定されるものではなく、他の表現であっても実質的に同一内容、同趣旨であれば、本発明に含まれるものである。
【符号の説明】
【００８２】
１００・・・放送局（放送信号送信装置）、１２０・・・ＣＭ配信用サーバ、１２１・・・管理サーバ、１４０・・・放送信号受信装置、１６０・・・記録媒体。
【図１】
2020102681.tif 000003
【図２】
2020102681.tif 000004
【図３】
2020102681.tif 000005
【図４】
2020102681.tif 000006
【図５】
2020102681.tif 000007
【図６】
2020102681.tif 000008
【図７】
2020102681.tif 000009
【図８】
2020102681.tif 000010
【図９】
2020102681.tif 000011
【図１０】
2020102681.tif 000012
【図１１】
2020102681.tif 000013
【図１２】
2020102681.tif 000014